(57)【特許請求の範囲】
【請求項１】
主桁端部が可動支承を介して橋台に支持される桁橋において、前記主桁に作用する負反力を前記橋台に伝達するための負反力伝達構造であって、
前記主桁端部の先端に突起が設けられ、この突起は前記橋台のパラペットに設けられた開口に該突起の上下に隙間が存するように貫通して配置され、
また、前記突起の上面に緩衝部材が設置され、この緩衝部材の上面と前記開口内面との間に隙間が設けられていることを特徴とする桁橋における負反力伝達構造。
【請求項２】
前記緩衝部材はすべり機能を有するものであることを特徴とする請求項１記載の桁橋における負反力伝達構造。
【請求項３】
前記突起及び前記開口はいずれも断面四角形のものであることを特徴とする請求項１又は２記載の桁橋における負反力伝達構造。
【請求項４】
前記緩衝部材はパッド型のものであることを特徴とする請求項３記載の桁橋における負反力伝達構造。
【請求項５】
前記緩衝部材は鋼板とゴム層とを積層してなる積層ゴムからなることを特徴とする請求項４記載の桁橋における負反力伝達構造。
【請求項６】
前記緩衝部材にすべり機能を持たせるために、該緩衝部材の上面及び前記開口の内面にすべりプレートがそれぞれ設けられていることを特徴とする請求項２〜５のいずれか１記載の桁橋における負反力伝達構造。
【請求項７】
前記突起にはその上面から突出する複数のアンカーバーが設けられるとともに、前記緩衝部材には前記アンカーバーが所定深さ位置まで挿入される挿入孔が設けられていることを特徴とする請求項４，５又は６記載の桁橋における負反力伝達構造。
【請求項８】
前記可動支承は、すべりゴム支承であることを特徴とする請求項１〜７のいずれか１記載の桁橋における負反力伝達構造。
【発明の詳細な説明】
【技術分野】
【０００１】
この発明は、桁橋における負反力伝達構造に関し、さらに詳細には、地震時に主桁に生じる鉛直上向きの力（負反力）を下部工に伝達するための構造に関する。
【背景技術】
【０００２】
桁橋は、長支間であったり、不等径間であった場合、橋軸方向地震時の上下変位を伴う桁の振動や、橋軸直角方向地震時のねじり変形などにより、地震時に支承を浮き上がらせるような鉛直上向きの力（負反力）が生じる場合がある。負反力によって支承が破損すると、構造系が急激に変化し、橋の各部に予期しがたい応力が発生する可能性がある。このようなことから、主桁に生じる負反力を確実に下部工に伝達する対処が必要となる。
【０００３】
従来、負反力を伝達する方法としては、次の方法があり、これらにはいくつかの問題点がある。
1)ペンデル支承で主桁を受ける方法（図７）
この方法は、主桁１００と橋台１０１との間にロッカー１０２を配置して、その上下端をピン結合する方法であり、鋼桁では実績が多い。しかしながら、ＰＣ桁では実績がなく、適用した場合にはピンに作用する大きな反力をコンクリートで受けさせるため、大掛かりな補強が必要となる。
【０００４】
2)鉛直ケーブルで受ける方法（図８）
この方法は、同図（ａ）に示すように、主桁１００を可動支承１０３で支持するとともに、鉛直ケーブル１０４の上下端を主桁１００と橋台１０１に定着して負反力に抵抗する方法であり、ＰＣ桁で実績がある。しかしながら、主桁１００の伸縮や水平変位を拘束しないように、主桁１００及び橋台１０１に大きな箱抜き１０５を設ける必要があり、横桁ＰＣ鋼材の取り合いに配慮する必要がある。また、同図（ｂ）に示すように、主桁の変形時には鉛直ケーブル１０４に二次応力が発生するため、その疲労耐久性等に問題がある。
【０００５】
3)パラペットを貫通する突起を桁端に設ける方法（図９）
この方法は、同図（ａ）に示すように、主桁１００を可動支承１０３で支持するとともに、橋台１０１のパラペット１０６に開口１０７を設け、また桁端には突起１０８を設け、突起１０８をその上下に隙間ができるように開口１０７に挿入する方法である。これにより、常時の状態では突起１０８がパラペット１０６に接触せず、地震時に同図（ｂ）に示すように、パラペット１０６に当接することで負反力をパラペット１０６に伝達しようとするものである。しかしながら、この方法は、地震時に突起１０８がパラペット１０６に当接した場合、摩擦が生じて主桁１００の水平変位を拘束したり、突起１０８やパラペット１０６に応力集中が起きてこれらの破損の要因となる。
【０００６】
4)パラペットを貫通する突起を桁端に設け、さらに突起上面とパラペットとの間に可動支承を設置する方法（図１０）
この方法は、3)の方法に改良を加えたものである。すなわち、同図（ａ）に示すように、鉛直下向きの力（正反力）を支える通常の可動支承１０３に加え、桁端に設けた突起１０８の上面と開口１０７の内面との間に負反力を受けるための可動支承１０９を設ける方法である。しかしながら、この方法は、同図（ｂ）に示すように、常時の状態においても主桁１００の回転により負反力が作用することから、負反力用の可動支承１０９も正反力用の可動支承１０３と同等の変形性能を要求され、不経済となる。
【０００７】
この出願の発明に関連する先行技術情報としては次のようなものがある。
【特許文献１】特開２００４−９２２６９号公報
【発明の開示】
【発明が解決しようとする課題】
【０００８】
この発明は上記のような技術的背景に基づいてなされたものであって、次の目的を達成するものである。
この発明の目的は、常時の状態では主桁の水平変位や回転変位を拘束せず、地震時には主桁に生じる負反力をパラペットに伝達し、しかも応力を緩和して伝達することができる桁橋における負反力伝達構造を提供することにある。
【０００９】
この発明の別の目的は、地震時には大きな摩擦等が生じず、主桁の水平変位や回転変位を拘束することなく、主桁の変位に追随することができる桁橋における負反力伝達構造を提供することにある。
【課題を解決するための手段】
【００１０】
この発明は上記課題を達成するために、次のような手段を採用している。
すなわち、この発明は、主桁端部が可動支承を介して橋台に支持される桁橋において、前記主桁に作用する負反力を前記橋台に伝達するための負反力伝達構造であって、
前記主桁端部の先端に突起が設けられ、この突起は前記橋台のパラペットに設けられた開口に該突起の上下に隙間が存するように貫通して配置され、
また、前記突起の上面に緩衝部材が設置され、この緩衝部材の上面と前記開口内面との間に隙間が設けられていることを特徴とする桁橋における負反力伝達構造にある。
【００１１】
より具体的には、前記緩衝部材はすべり機能を有するものが使用される。前記突起及び前記開口は、例えば、いずれも断面四角形のものとすることができる。前記緩衝部材はパッド型のものが用いられる。
【００１２】
また、前記緩衝部材は鋼板とゴム層とを積層してなる積層ゴムからなるものが用いられ。前記緩衝部材にすべり機能を持たせるために、該緩衝部材の上面及び前記開口の内面にすべりプレートがそれぞれ設けられている構成を採ることができる。また、前記緩衝部材を所定位置に保持するために、前記突起にはその上面から突出する複数のアンカーバーが設けられるとともに、前記緩衝部材には前記アンカーバーが所定深さ位置まで挿入される挿入孔が設けられている構成を採ることもできる。前記可動支承は、すべりゴム支承を使用することができる。
【発明の効果】
【００１３】
この発明によれば、突起上に設置した緩衝部材と開口内面との間に隙間を設けたので、常時の状態では突起及び緩衝部材は、主桁の水平変位や鉛直方向の回転変位を拘束することがない。他方、地震時には、主桁に作用する負反力は緩衝部材を介してパラペットに伝達されるので、応力が緩和され、突起やパラペットに損傷を与えることがない。
【００１４】
また、緩衝部材にすべり機能を持たせることにより大きな摩擦が生じず、主桁の水平変位や回転変位を拘束することなく、主桁の変位に追随することができる。また、緩衝部材は、常時には力が作用せず、地震時のみ力が作用するので、簡易で経済的なものとすることができる。
【発明を実施するための最良の形態】
【００１５】
この発明の実施形態を図面を参照しながら以下に説明する。図１〜図３は、この発明の実施形態を示し、図１は橋軸方向矢視による正面図、図２は橋軸直角方向矢視による断面図、図３は平面図である。橋台１は縦壁２と、この縦壁２の背面側部分から立ち上がるように形成されるパラペット（胸壁）３とを有している。
【００１６】
主桁４はＰＣ桁からなり、この主桁４の端部である桁端４ａと縦壁２との間には１対の可動支承５が設置されている。主桁４の鉛直荷重は可動支承５を介して橋台１に伝達される。可動支承５は、この実施形態では、すべりゴム支承からなっている。すべりゴム支承５は、周知のものであり、桁端４ａの下面に固定された上側プレート６と、縦壁２の上面に固定された下側プレート７と、下側プレート７上に設置されたパッド型の積層ゴム８とからなっている。上側プレート６は積層ゴム８との間ですべりを生じ、これにより主桁４が水平変位可能となっている。すべりのための構造は、後述する緩衝部材で採用されているものとほぼ同様である。桁端４ａを挟むように縦壁２上に設けられたブロック９は、主桁４の橋軸直角方向の移動を制限するための部材である。
【００１７】
桁端４ａには橋軸方向に延びる断面四角形の１対の突起１０が、橋軸直角方向に間隔を置いて設けられている。他方、パラペット３には突起１０に対応して、断面四角形の１対の開口１１が設けられている。突起１０はその上下に隙間が存するように開口１１に配置され、パラペット３を貫通している。また、突起１０の上面には緩衝部材１２が設置され、この緩衝部材１２の上面と開口１１の内面との間には隙間Ｓが設けられている。なお、パラペット３の背面側には開口１１を覆うように止水カバー２５が設けられている。
【００１８】
図４，図５は緩衝部材１２の詳細構造を示し、図４は橋軸方向矢視による断面図、図５は橋軸直角方向矢視による断面図である。緩衝部材１２は、この実施形態では、パッド型の積層ゴムからなる。積層ゴム１２は、ゴム層１３と鋼板１４，１５，１６とを交互に積層し加硫接着してなるもので、上下部の鋼板１４，１５は中間部の鋼板１６よりも厚肉のものが使用される。
【００１９】
緩衝部材１２は、前記のようにパッド型のものであって、突起１０の上面に据え置かれる形式のものである。このため、緩衝部材１２を所定位置に保持する手段が設けられている。この保持手段として、突起１０にはその上面から突出する複数本のアンカーバー１７が設けられている。また、緩衝部材１２にはその下面から上部鋼板１５の上面に亘って、アンカーバー１７の挿入孔１８が設けられ、アンカーバー１８は挿入孔１８の所定深さ位置まで挿入されている。この所定深さ位置は、緩衝部材１２に鉛直方向のたわみ変形を生じさせることができる一方、せん断変形を生じさせない深さ位置であり、具体的には、上部鋼板１５の肉厚方向中間部である。
【００２０】
緩衝部材１２にはすべり機能が付与され、そのための構造として緩衝部材１２の上部にすべりプレート１９が設けられている。すべりプレート１９は、具体的には、上部鋼板１５に設けられた凹部に嵌め込まれている。このすべりプレート１９として、テフロン（登録商標）プレートが使用されている。他方、突起１０の上面と対向する開口１１の内面にもすべりプレート２０が設けられている。このすべりプレート２０としては、ステンレスプレートが使用されている。すべりプレート２０は取付けプレート２１の下面に固定され、この取付けプレート２１はパラペット３に埋め込まれるスタッドボルト２２を介して開口１１の内面に固定されている。
【００２１】
上記のような構造によれば、緩衝部材１２と開口１１の内面との間に隙間Ｓが設けられているので、常時の状態では突起１０及び緩衝部材１２は主桁４の挙動を拘束しない。すなわち、主桁４は水平変位が可能であり、また鉛直方向の回転変位も可能である。他方、地震時には、図６に示すように、主桁４に作用する負反力は緩衝部材１２を介してパラペット３に伝達される。このため、パラペット３に伝達される応力が緩和され、突起１０やパラペット３に損傷を与えることがない。また、緩衝部材１２にはすべりプレート１９，２０間ですべりが生じることから大きな摩擦が生じず、主桁の水平変位や回転変位を拘束することなく、主桁４の変位に追随することができる。また、緩衝部材１２は、常時には力が作用せず、地震時のみ力が作用するので、簡易で経済的なものとすることができる。
【００２２】
さらに、緩衝部材１２は、その挿入孔１８に挿入されたアンカーバー１７によって突起１０に保持されているので、地震時にせん断変形を生じることがなく、すべりプレート１９，２０間で即座にすべりを生じさせることができる。その一方、アンカーバー１７は挿入孔１８の所定深さ位置までの挿入であるので、鉛直方向のたわみ変形が可能であり、緩衝部材１２の緩衝機能を損なうことがない。
【００２３】
上記実施形態は例示にすぎず、この発明は種々の改変が可能である。例えば、上記実施形態では突起及び開口をそれぞれ２つ設けたが、これに限らず１つあるいは３つ以上設ける態様もこの発明に包含される。
【図面の簡単な説明】
【００２４】
【図１】この発明の実施形態を示し、橋軸方向矢視による正面図である。
【図２】同実施形態の橋軸直角方向矢視による断面図である。
【図３】同実施形態の平面図である。
【図４】緩衝部材の詳細を示し、橋軸方向矢視による断面図である。
【図５】同緩衝部材の橋軸直角方向矢視による断面図である。
【図６】実施形態の作用を説明するための断面図である。
【図７】従来例を示す図である。
【図８】別の従来例を示す図である。
【図９】さらに別の従来例を示す図である。
【図１０】さらに別の従来例を示す図である。
【符号の説明】
【００２５】
１      橋台
２      縦壁
３      パラペット
４      主桁
４ａ    桁端
５      可動支承（すべりゴム支承）
６      上側プレート
７      下側プレート
８      積層ゴム
１０      突起
１１      開口
１２      緩衝部材（積層ゴム）
１３      ゴム層
１４，１５，１６      鋼板
１７      移動防止枠
１９，２０      すべりプレート
２５      止水カバー
【図１】
0004500946.tif 000002
【図２】
0004500946.tif 000003
【図３】
0004500946.tif 000004
【図４】
0004500946.tif 000005
【図５】
0004500946.tif 000006
【図６】
0004500946.tif 000007
【図７】
0004500946.tif 000008
【図８】
0004500946.tif 000009
【図９】
0004500946.tif 000010
【図１０】
0004500946.tif 000011